(57)【要約】【課題】テーブルの使用形態を容易に変更できるワークテーブルを提供する。【解決手段】ワークテーブル１は、天板２と、天板２を支持する脚部３と、天板２の上面にそれぞれ取り外し可能な状態で載置され、それぞれが天板２の上面を部分的に覆う複数の上板４ａとを備える。複数の上板４ａの各々は、外部電源から受電する受電部６と、受電部６が受電した電力により充電される蓄電部７と、受電部６又は蓄電部７から得た電力を外部の電気機器に供給する電力供給部（例えばＡＣ１００Ｖ用のコンセント８からなる）とを備えている。【選択図】図１
2014054329.tif 000002
【特許請求の範囲】
【請求項１】
天板と、前記天板を支持する脚部と、前記天板の上面にそれぞれ取り外し可能な状態で載置され、それぞれが前記天板の上面を部分的に覆う複数の上板とを備え、
前記複数の上板の各々は、外部電源から受電する受電部と、前記受電部が受電した電力により充電される蓄電部と、前記受電部又は前記蓄電部から得た電力を外部の電気機器に供給する電力供給部とを備えることを特徴とするワークテーブル。
【請求項２】
前記蓄電部は、前記上板の内部に収納されていることを特徴とする請求項１記載のワークテーブル。
【請求項３】
前記電力供給部は、前記上板の側面に設けられたことを特徴とする請求項１又は２の何れか１項に記載のワークテーブル。
【請求項４】
前記天板には、前記上板の前記受電部を外部電源に接続するための電源接続部が設けられたことを特徴とする請求項１乃至３の何れか１項に記載のワークテーブル。
【請求項５】
前記上板が前記天板の上面に載置された状態で、前記電源接続部に前記受電部が電気的に接続されることを特徴とする請求項４記載のワークテーブル。
【請求項６】
前記電源接続部に電力を送るための電源線は前記脚部の内部に配線され、前記脚部より外部に引き出された前記電源線が外部電源に電気的に接続されることを特徴とする請求項４又は５の何れか１項に記載のワークテーブル。
【発明の詳細な説明】
【技術分野】
【０００１】
本発明は、ワークテーブルに関するものである。
【背景技術】
【０００２】
この種のワークテーブルとして、パーソナルコンピュータなどの情報処理装置を設置するために使用され、幕板の裏面に設けたコンセントから情報処理装置に給電できるようにした情報処理装置用机が提案されている（例えば特許文献１参照）。
【先行技術文献】
【特許文献】
【０００３】
【特許文献１】特開平１０−２０１５４６号公報
【発明の概要】
【発明が解決しようとする課題】
【０００４】
上記特許文献に開示された情報処理装置用机では、天板に情報処理装置が直接置かれているので、天板上で他の作業を行うための作業スペースを確保したい場合、天板に置かれている情報処理装置を別の場所に移動させる必要があった。また、他の作業が終了した後に、天板上の元の場所へ情報処理装置を戻す作業が必要になるため、使い勝手が悪かった。
【０００５】
本発明は上記課題に鑑みて為されたものであり、その目的とするところは、テーブルの使用形態を容易に変更できるワークテーブルを提供することにある。
【課題を解決するための手段】
【０００６】
本願のワークテーブルは、天板と、天板を支持する脚部と、天板の上面にそれぞれ取り外し可能な状態で載置され、それぞれが天板の上面を部分的に覆う複数の上板とを備えることを特徴とする。複数の上板の各々は、外部電源から受電する受電部と、受電部が受電した電力により充電される蓄電部と、受電部又は蓄電部から得た電力を外部の電気機器に供給する電力供給部とを備えている。
【０００７】
このワークテーブルにおいて、蓄電部は、上板の内部に収納されることも好ましい。
【０００８】
このワークテーブルにおいて、電力供給部は、上板の側面に設けられることも好ましい。
【０００９】
このワークテーブルにおいて、天板には、上板の受電部を外部電源に接続するための電源接続部が設けられることも好ましい。
【００１０】
このワークテーブルにおいて、上板が天板の上面に載置された状態で、電源接続部に受電部が電気的に接続されることも好ましい。
【００１１】
このワークテーブルにおいて、電源接続部に電力を送るための電源線は脚部の内部に配線され、脚部より外部に引き出された電源線が外部電源に電気的に接続されることも好ましい。
【発明の効果】
【００１２】
本発明によれば、天板上に上板を載せたり、上板を外したりすることで、テーブルの使用形態を容易に変更できるという効果がある。
【図面の簡単な説明】
【００１３】
【図１】本実施形態のワークテーブルを示し、（ａ）は要部を拡大した平面図、（ｂ）は要部を拡大した側面図、（ｃ）は断面Ｃ−Ｃ図である。
【図２】同上の上板を示し、（ａ）は平面図、（ｂ）は下側から見た側面図、（ｃ）は右側から見た要部の側面図である。
【図３】同上を示し、（ａ）は平面図、（ｂ）は側面図、（ｃ）は断面Ｄ−Ｄ図である。
【図４】同上の使用形態を説明する斜視図である。
【発明を実施するための形態】
【００１４】
本実施形態のワークテーブルについて図１〜図４を参照して説明する。
【００１５】
本実施形態のワークテーブル１は、天板２と、天板２を支持する複数本（本実施形態では例えば４本）の脚部３と、天板２の上面にそれぞれ取り外し可能な状態で載置され、それぞれが天板２の上面を部分的に覆う複数の上板４ａ，４ｂ，４ｃ，４ｄ，４ｅとを備えている。尚、以下の説明において、個々の上板について説明する場合は上板４ａ，４ｂ，４ｃ，４ｄ，４ｅと表記し、全ての上板４ａ，４ｂ，４ｃ，４ｄ，４ｅに共通する説明を行う場合は上板４と表記する。
【００１６】
先ず上板４ａ，４ｂ，４ｃ，４ｄ，４ｅについて図１及び図２を参照して説明する。尚、上板４ａ，４ｂ，４ｃ，４ｄ，４ｅは同様の構成を有しているので、上板４ａを例に説明を行い、他の上板４ｂ，４ｃ，４ｄ，４ｅについては説明を省略する。
【００１７】
上板４ａは矩形板状に形成され、上面にノートパソコンなどの物体を載せて持ち運びができる程度の強度を有している。上板４ａ（板本体５）の幅寸法Ｗ１（例えば約６０ｃｍ）及び奥行き寸法Ｄ１（例えば約４３ｃｍ）は、それぞれ、天板２の幅寸法及び奥行き寸法の約半分に形成されている。天板２の上面に４枚の上板４が互いに重ならないように載置されると、天板２の上面の略全体が４枚の上板４によって覆われ、４枚の上板４によって１つの作業面が構成されるようになっている。尚、上板４ａの厚み寸法Ｔ１は例えば約３ｃｍとなっており、天板２に上板４が載置された状態と、上板４が載置されていない状態とで、作業面の高さがあまり変わらないように、上板４ａの厚み寸法Ｔ１は設定されている。
【００１８】
上板４ａの下面には、一対の電極ピン６ａ，６ｂからなり、天板２に設けられた後述の電源接続部９に電気的に接続される受電部６が設けられている（図１参照）。上板４ａの内部には、受電部６が受電した電力により充電される蓄電部７（リチウムイオン電池などの二次電池とその充電回路からなる）が収納されている。上板４ａの側面には、受電部６又は蓄電部７から得た電力を外部の電気機器（例えばノートパソコン３０など）に供給するための電力供給部として、ＡＣ１００Ｖ用のコンセント８が設けられている。このコンセント８に、電気機器からの電源ケーブルに設けられたプラグを差し込むことで、電気機器へ電力を供給できるようになっている。上述のように複数の上板４は同一形状及び同一寸法に設定されており、受電部６も上板４の下面の同一位置に設けられている。
【００１９】
一方、ワークテーブル１の天板２には、図３（ａ）に示すように、４枚の上板４を２行２列に隙間無く並べて載せることができ、上板４が載せられた状態でも露出している左側部には、カバー付きのＡＣ１００Ｖ用コンセント１０が設けられている。天板２には、上面の４箇所に載せられる上板４の受電部６とそれぞれ対向する位置に、各受電部６に給電するための電源接続部９がそれぞれ設けられている。４箇所の電源接続部９は、それぞれ、電極ピン６ａ，６ｂに電気的に接続される端子板９ａ，９ｂを備え、天板２の所定位置に上板４が載せられると、電極ピン６ａ，６ｂがそれぞれ対応する端子板９ａ，９ｂに電気的に接続されるようになっている。上述のように複数の上板４は同一形状及び同一寸法に設定されており、受電部６も上板４の下面の同一位置に設けられているので、各々の上板４は、天板２に４箇所ある載置位置のうち、どの位置に置いても使用することが可能である。尚、電源接続部９及び受電部６のうちの一方には永久磁石が、他方には例えば鉄板が取り付けられており、電源接続部９及び受電部６が電気的に接続された状態では永久磁石の磁力によって、接続状態が保持されるようになっている。また本実施形態では、受電部６の電極ピン６ａ，６ｂと、電源接続部９の端子板９ａ，９ｂとをそれぞれ接触させることで電力の授受を行っているが、非接触給電により電力の授受を行うようにしてもよい。ここにおいて、非接触給電には電磁誘導方式、電波方式、電磁界共鳴方式などの種々の方式が提案されているが、電力の授受が非接触で行えるのであれば、どのような方式で給電するものでもよい。
【００２０】
各端子板９ａ，９ｂには商用交流電源を供給するための電源線１１が接続されている。この電源線１１は、天板２の上面を構成する化粧板２ａ、及び、化粧板２ａと底板２ｃの間に配置される補強用の桟２ｂにそれぞれ設けられた配線スペースに通され、さらに脚部３内の配線スペース（図示せず）を通して外部に導出される。電源線１１の先端には差込プラグ１２が設けられており、この差込プラグ１２を壁や床などに設けられたコンセントに接続することで、電源接続部９に商用交流電源が供給されるようになっている。
【００２１】
以上説明したように、本実施形態のワークテーブル１は、天板２と、天板２を支持する脚部３と、天板２の上面にそれぞれ取り外し可能な状態で載置され、それぞれが天板２の上面を部分的に覆う複数（例えば４枚）の上板４とを備えている。複数の上板４の各々は、外部電源（例えば商用交流電源）から受電する受電部６と、受電部６が受電した電力により充電される蓄電部７と、受電部６又は蓄電部７から得た電力を外部の電気機器に供給する電力供給部（本実施形態では例えばコンセント８）とを備えている。
【００２２】
これにより、天板２に上板４が載置された状態では上板４の上面を作業面として利用することができ、上板４が載置されていない状態では天板２の上面を作業面として利用することができる。したがって、天板２に載置された上板４の上面に例えばノートパソコン３０を置いて、ノートパソコン３０を利用した作業を行っている状態で、ワークテーブル１を別の作業に使用したい場合は、上板４を別の場所にもっていけば、天板２の上面をあけて別の作業に利用できる。また別の作業が終了した後に、別の場所に置いていた上板４を天板２上に戻せば、元の作業を継続して行うことができるから、別の作業をするためにワークテーブル１の作業面を片付けたり、作業に必要なものを広げたりする手間が削減でき、作業効率が向上する。例えば図４に示すように、天板２の空きスペースにノートパソコン３０を載せた上板４ａが置かれると、ワークテーブル１をパソコン作業に利用でき、食器４０，４１を載せた上板４ｅが上記空きスペースに置かれると、ワークテーブル１を食事に利用できる。また天板２に上板４が載置されると、蓄電部７が充電されるから、上板４を別の場所に持っていった場合でも、蓄電部７から電力供給部を介して電気機器に電力を供給できる。したがって、電源コンセントが近くにない場所へ上板４が持っていかれた場合でも、蓄電部７に蓄電された電力で電気機器を動作させることができる。
【００２３】
また、本実施形態のワークテーブル１では、上板４の内部に蓄電部７が収納されている。
【００２４】
これにより、上板４の内部に蓄電部７が収納されているから、上板４の意匠性が向上し、上板４を天板２の上側に載せた場合に、蓄電部７が外から見えることはないから、ワークテーブル１全体の意匠性を高めることができる。
【００２５】
また、本実施形態のワークテーブル１では、電力供給部としてのコンセント８が、上板４の側面に設けられている。
【００２６】
これにより、上板４を天板２の上面に載せた状態でもコンセント８を利用でき、コンセント８から電気機器へ電力を供給することができる。
【００２７】
また、本実施形態のワークテーブル１では、天板２には、上板４の受電部６を外部電源に接続するための電源接続部９が設けられている。
【００２８】
これにより、天板２の電源接続部９を介して受電部６が外部電源に接続されるから、受電部６が受電した電力により蓄電部７を充電したり、電源接続部９から外部の電気機器に電力を供給したりすることができる。
【００２９】
また、本実施形態のワークテーブル１では、上板４が天板２の上面に載置された状態で、電源接続部９に受電部６が電気的に接続されている。
【００３０】
これにより、天板２に上板４を載せるだけで、電源接続部９と受電部６とが電気的に接続されるから、電源接続部９と受電部６とを電気的に接続するための結線作業を不要にできる。そして、天板２に上板４が載せられた状態では、電源接続部９から受電部６に電力が供給されるから、受電部６が受電した電力により蓄電部７を充電することができる。
【００３１】
また、本実施形態のワークテーブル１では、電源接続部９に電力を送るための電源線１１が脚部３の内部に配線され、脚部３より外部に引き出された電源線１１は外部電源に電気的に接続されるようになっている。
【００３２】
これにより、外部電源から電源線１１を介して電源接続部９に電力を供給することができ、天板２に置かれた上板４の蓄電部７を外部電源に接続することができる。
【符号の説明】
【００３３】
１  ワークテーブル
２  天板
３  脚部
４ａ  上板
６  受電部
７  蓄電部
８  コンセント（電力供給部）
９  電源接続部
【図１】
2014054329.tif 000003
【図２】
2014054329.tif 000004
【図３】
2014054329.tif 000005
【図４】
2014054329.tif 000006